(57)【要約】【課題】フレーズトークンを用いてトランザクションを容易にするシステム及び方法を提供する。【解決手段】個々のエンティティは複数語から成るフレーズなどのような一義的なトランザクションフレーズトークンに関連付けられる。トランザクションフレーズトークンは、エンティティがトランザクションアカウント情報を交換せずにトランザクションを遂行できるように、サービスプロバイダによってトランザクションアカウントに関連付けられる。トランザクション中は、トランザクションフレーズトークンが受信側に提示され、受信側は提示されたトランザクションフレーズトークンをサービスプロバイダに提供する。サービスプロバイダは提示されたトランザクションフレーズトークンをこのトランザクションフレーズトークンに関して指定されたコンフィギュレーション情報に従って処理する。サービスプロバイダはトランザクションリクエストを自動処理したり、追加情報をリクエストしてもよい。【選択図】図１
2015149092.tif 000002
【特許請求の範囲】
【請求項１】
トランザクションを処理するためのシステムであって、前記システムは、
トランザクションフレーズトークンをトランザクションフレーズトークン保有者に割り当てるためのトークン発行コンポーネントと、
前記トランザクションフレーズトークン保有者以外の当事者からのリクエストを処理するためのトークン処理コンポーネントと、
を具え、
個々のトランザクションフレーズトークンは、文字集合からなり、前記文字集合は、全体として前記トランザクションフレーズトークン保有者にとって二次的意味を有し、前記トランザクションフレーズトークンは、トランザクションアカウントに関連付けられ、
前記リクエストは、前記トランザクションフレーズトークン保有者からのトランザクションフレーズトークンの表現を含む、トランザクションの遂行を求めるリクエストに対応し、
前記トークン処理コンポーネントは、前記トランザクションフレーズトークンのコンフィギュレーションに基づいて、トランザクションリクエストを処理し、
前記トークン処理コンポーネントは、前記トランザクションリクエストの処理が無事に行われたことに応答して、前記トランザクションフレーズトークンに関連付けられた前記トランザクションアカウントの調整を容易にする、
システム。
【請求項２】
前記トランザクションアカウントは、前記トランザクションフレーズトークン保有者により制御される、
請求項１に記載のシステム。
【請求項３】
前記トランザクションは、前記トランザクションフレーズトークン保有者以外の当事者から前記トランザクションフレーズトークン保有者へ合意項目の移管を含む、
請求項１に記載のシステム。
【請求項４】
前記トークン処理コンポーネントは、販売者から前記トランザクションフレーズトークン保有者への前記合意項目の前記移管をさらに容易にする、
請求項３に記載のシステム。
【請求項５】
前記文字集合は、英数字の集合に対応する、
請求項１に記載のシステム。
【請求項６】
前記二次的意味とは、前記文字集合の音声表現に関連した二次的意味である、
請求項１に記載のシステム。
【請求項７】
前記二次的意味とは、前記文字集合のパブリケーションに関連した二次的意味である、
請求項１に記載のシステム。
【請求項８】
前記トランザクションアカウントの前記調整は、前記トランザクションアカウントからの引き落としを含む、
請求項１に記載のシステム。
【請求項９】
前記トランザクションアカウントの前記調整は、前記トランザクションアカウントへの入金を含む、
請求項１に記載のシステム。
【請求項１０】
前記トランザクションフレーズトークンの前記コンフィギュレーションは、前記トランザクションフレーズトークン保有者によって指定される、
請求項１に記載のシステム。
【請求項１１】
前記トランザクションフレーズトークンに関連付けられた前記トランザクションアカウントの調整を容易にする前に、前記トークン処理コンポーネントは、前記トランザクションフレーズトークン保有者からの入力を取得するようにさらに構成される、
請求項１に記載のシステム。
【請求項１２】
前記トランザクションフレーズトークンは、通信ネットワークソフトウェア装置を介して前記トークン処理コンポーネントに送信される、
請求項１に記載のシステム。
【請求項１３】
トランザクションを処理するための方法であって、
特定の実行可能命令を有するように構成される１つ以上のコンピューティングデバイスによって実施される際、
トランザクションフレーズトークン保有者以外の当事者からのリクエストを取得し、
前記リクエストは、前記トランザクションフレーズトークン保有者からのトランザクションフレーズトークンの表現を含む、トランザクションの遂行を求めるリクエストに対応し、
個々のトランザクションフレーズトークンは、英数字の文字集合からなり、前記文字集合は、全体として前記トランザクションフレーズトークン保有者にとって二次的意味を有し、前記トランザクションフレーズトークンは、トランザクションアカウントに関連付けられ、
前記トランザクションフレーズトークンのコンフィギュレーションに基づいて、トランザクションリクエストを処理し、
前記トランザクションリクエストの処理が無事に行われたことに応答して、前記トランザクションフレーズトークンに関連付けられたトランザクションアカウントの調整を行う、
方法。
【請求項１４】
前記トランザクションアカウントは、前記トランザクションフレーズトークン保有者により制御される、
請求項１３に記載の方法。
【請求項１５】
前記トランザクションは、前記トランザクションフレーズトークン保有者以外の当事者から前記トランザクションフレーズトークン保有者へ合意項目の移管を含む、
請求項１３に記載の方法。
【請求項１６】
前記トランザクションフレーズトークン処理コンポーネントは、販売者から前記トランザクションフレーズトークン保有者への前記合意項目の前記移管をさらに容易にする、
請求項１５に記載の方法。
【請求項１７】
前記二次的意味とは、デュアルトーンマルチ周波数に従って、前記文字集合の表現に関連付けられた二次的意味である、
請求項１３に記載の方法。
【請求項１８】
トランザクションフレーズトークンをトランザクションフレーズトークン保有者に割り当てることをさらに含む、
請求項１３に記載の方法。
【請求項１９】
トランザクションフレーズトークン保有者以外の当事者からの前記リクエストを取得することは、ネットワーク通信ソフトウェアアプリケーションを介して送信されるリクエストを取得することを含む、
請求項１３に記載の方法。
【請求項２０】
前記トランザクションフレーズトークンのコンフィギュレーションに基づいて、前記トランザクションリクエストを処理することは、セキュリティ・ポリシーに従う追加情報を取得することを含む、
請求項１３に記載の方法。
【請求項２１】
前記追加情報は、パーソナル識別子を含む、
請求項２０に記載の方法。
【請求項２２】
トランザクションを処理するためのシステムであって、前記システムは
トランザクションフレーズトークン保有者以外の当事者からのトランザクションリクエストを処理するためのトークン処理コンポーネントを具え、
個々のトランザクションフレーズトークンは、文字集合からなり、前記文字集合は、全体として前記トランザクションフレーズトークン保有者にとって二次的意味を有し、前記トランザクションフレーズトークンは、トランザクションアカウントに関連付けられ、
前記リクエストは、前記トランザクションフレーズトークン保有者からのトランザクションフレーズトークンの表現を含む、トランザクションの遂行を求めるリクエストに対応し、
前記トークン処理コンポーネントは、前記トランザクションフレーズトークンのコンフィギュレーションに基づいて、トランザクションリクエストを処理し、
前記トークン処理コンポーネントは、前記トランザクションリクエストの処理が無事に行われたことに応答して、前記トランザクションフレーズトークンに関連付けられたトランザクションアカウントの調整を容易にする、
システム。
【請求項２３】
前記トランザクションは、前記トランザクションフレーズトークン保有者以外の当事者から前記トランザクションフレーズトークン保有者へ合意項目の移管を含む、
請求項２２に記載のシステム。
【請求項２４】
前記トークン処理コンポーネントは、販売者から前記トランザクションフレーズトークン保有者への前記合意項目の前記移管をさらに容易にする、
請求項２２に記載のシステム。
【請求項２５】
前記文字集合は、英数字の集合に対応する、
請求項２２に記載のシステム。
【請求項２６】
前記二次的意味とは、前記文字集合のパブリケーションに関連した二次的意味である、
請求項２２に記載のシステム。
【請求項２７】
前記トランザクションアカウントの前記調整は、前記トランザクションアカウントからの引き落とし又は前記トランザクションアカウントへの入金を含む、
請求項２２に記載のシステム。
【請求項２８】
前記トークン処理コンポーネントは、前記リクエストの前記処理に関連付けられたセキュリティ・ポリシーを実行するようにさらに構成されている、
請求項２２に記載のシステム。
【請求項２９】
前記セキュリティ・ポリシーは、前記トランザクションフレーズトークン保有者によるパーソナル識別子の送信に対応する、
請求項２８に記載のシステム。
【発明の詳細な説明】
【技術分野】
【０００１】
概括的に言えば、コンピューティングデバイスとインターネットのような通信ネットワークは個人間の種々の交流を促進することができる。金融トランザクションへの適用においては、コンピューティングデバイスと通信ネットワークの統合のおかげで、個人及び／又は企業のようなエンティティがトランザクションを遂行する機会が拡大した。最もシンプルな実施形態では、二者が通信ネットワークを介して口座番号及び／又は個人情報のような関連金融情報を送り、トランザクションを遂行することができる。しかし、同時に、トランザクション機会の拡大は、銀行口座番号及び／又は個人情報のような詳細な金融口座情報の交換に関する更なる心配も生みかねない。ある側面では、特に相手方が未知であったり信頼できない場合には、情報が不正に用いられる可能性があるため、トランザクションの当事者が詳細な金融情報と個人情報を見せることをためらうかもしれない。また別の側面では、一方の当事者が間違った数量、取引金額、又は二重課金のような誤ったトランザクション情報の処理を行う可能性があるため、トランザクションの当事者が金融情報の交換を警戒するかもしれない。
【０００２】
金融情報の交換に関する心配を緩和する１つの試みは第三者が仲介口座を設けることに関係している。この実施形態によれば、第三者のサービスプロバイダが、銀行の当座預金口座、クレジットカード口座、ストアドバリューカード口座などのような金融口座に裏付けられた専用トランザクションアカウントを開く。金融トランザクションの両当事者が専用トランザクションアカウントを持っていれば、当事者はアカウント識別子の形態で自分のトランザクションアカウント情報を自由に遣り取りすることができ、サービスプロバイダはこのアカウント識別子により各アカウントの引き落とし／入金を行う。種々の代替形態では、サービスプロバイダは専用トランザクションアカウントを開く際、及び／又は申し出のあったトランザクションを検証する際に追加のセキュリティを採用し、不正なトランザクション又は誤ったトランザクションを少なくするようにしてよい。それでも、専用トランザクションアカウントが数値によるアカウント番号として表される場合には、トランザクションを容易にする現在のアプローチでは不十分となることがありうる。さらに、専用トランザクションアカウントを用いてトランザクションを処理する現在のアプローチはアカウント保有者が容易に設定することができるものではない。例えば、アカウント保有者は一般に、トランザクションの受け入れを自動的に設定したり、トランザクションエクスポージャーを制限するなどにより、従来のトランザクションアカウントを設定する能力を持ち合わせていない。
【図面の簡単な説明】
【０００３】
【図１】本発明の１つの側面に従ってトランザクションフレーズトークンを用いてトランザクションを処理するシステムを表したブロック図であり、複数のトランザクションフレーズトークン保有者とトランザクションフレーズトークン処理サービスが含まれている。
【図２Ａ】本発明の１つの側面に従って、図１に示されているシステムによるトランザクションフレーズトークンオファーの初期化及び処理を表したブロック図である。
【図２Ｂ】本発明の１つの側面に従って、図１に示されているシステムがトランザクションフレーズトークン保有者によるトランザクションフレーズトークンリクエストを承認する処理を表したブロック図である。
【図２Ｃ】本発明の１つの側面に従って、図１に示されているシステムがトランザクションフレーズトークン保有者によるトランザクションフレーズトークンリクエストを拒否する処理を表したブロック図である。
【図２Ｄ】本発明の１つの側面に従って、図１に示されているシステムがトランザクションフレーズトークン保有者によるトランザクションフレーズトークンリクエストを予断をもって拒否する処理を表したブロック図である。
【図２Ｅ】本発明の１つの側面に従って、図１に示されているシステムがトランザクションフレーズトークン保有者によるトランザクションフレーズトークンリクエストを初期化及び処理する様子を表したブロック図である。
【図３】本発明の１つの側面に従って、トランザクションフレーズトークン処理サービスにより実施されるトランザクションフレーズトークン割当てルーチンを表したブロック流れ図である。
【図４Ａ】本発明の１つの側面に従って、トランザクションフレーズトークン保有者へのトランザクションフレーズトークンの割当てを容易にするためにコンピューティングデバイスによって生成されるスクリーンディスプレイを示したブロック図である。
【図４Ｂ】本発明の１つの側面に従って、トランザクションフレーズトークンのコンフィギュアを容易にするためにコンピューティングデバイスによって生成されるスクリーンディスプレイを示したブロック図である。
【図５】本発明の１つの側面に従って、トランザクションフレーズトークン処理サービスにより実施されるトランザクションフレーズトークンに対応するトランザクション処理ルーチンを表したブロック流れ図である。
【図６Ａ】本発明の１つの側面に従って、購入トランザクションを遂行する際のトランザクションフレーズトークンのサブミットを容易にするためにコンピューティングデバイスによって生成されるスクリーンディスプレイを示したブロック図である。
【図６Ｂ】本発明の１つの側面に従って、購入トランザクションを遂行するためのトランザクションフレーズトークンのパブリケーションを容易にするためにコンピューティングデバイスによって生成されるスクリーンディスプレイを示したブロック図である。
【図７Ａ】本発明の１つの側面に従って、トランザクションフレーズトークンに関連したトランザクションの受け入れとトランザクションフレーズトークンの追加コンフィギュレーションを容易にするためにコンピューティングデバイスによって生成されるスクリーンディスプレイを示したブロック図である。
【図７Ｂ】本発明の１つの側面に従って、トランザクションフレーズトークンに関連したトランザクションの拒否とトランザクションフレーズトークンの追加コンフィギュレーションを容易にするためにコンピューティングデバイスにより生成されるスクリーンディスプレイを示したブロック図である。
【発明を実施するための形態】
【０００４】
詳細な説明
フレーズトークンを利用してトランザクションを容易にするシステム及び方法を提供する。個々のエンティティは複数の単語からなるフレーズのような一義的なトランザクションフレーズトークンに関連付けることができる。トランザクションフレーズトークンは、エンティティがトランザクションアカウント情報を交換せずにトランザクションを遂行できるように、サービスプロバイダによってトランザクションアカウントに関連付けられる。トランザクション中、トランザクションフレーズトークンは受け入れ側に提示され、受け入れ側が提示されたトランザクションフレーズトークンをサービスプロバイダに差し出す。サービスプロバイダは、提示されたトランザクションフレーズトークンをこのトランザクションフレーズトークンに対して指定されたコンフィギュレーション情報に応じて処理する。サービスプロバイダは自動的にトランザクションリクエストを処理すること、又は追加情報をリクエストすることができる。
【０００５】
本発明の１つの側面では、トランザクションを処理するシステムが提供される。このシステムはトランザクションフレーズトークン保有者に対してトランザクションフレーズトークンを生成するトークン発行コンポーネントを含んでいる。各トランザクションフレーズトークンは全体として見たときにトランザクションフレーズトークン保有者にとって二次的意味を持つ文字の集合に相当する。トランザクションフレーズトークンは様々な仕方で表現できる。さらに、各トランザクションフレーズトークンにはトランザクションアカウントが関連付けられている。システムはまたトランザクションフレーズトークン保有者以外の当事者からのリクエストを処理するトークン処理コンポーネントも含んでいる。他の当事者からのリクエストはトランザクションを遂行するためのリクエストに相当し、トランザクションフレーズトークン保有者からのトランザクションフレーズトークンの表現を含んでいる。
【０００６】
トランザクションフレーズトークン処理サービスは、トランザクションフレーズトークンのコンフィギュレーションに基づいてトランザクションリクエストを処理することができる。この処理に基づいて、トランザクションフレーズトークン処理サービスは、トランザクションアカウントからの引き落とし又はトランザクションアカウントへの入金のようなトランザクションリクエストの処理が成功したときに、トランザクションフレーズトークンに関連付けられたトランザクションアカウントの調整を容易にすることができる。
【０００７】
本発明の別の側面では、トランザクションを容易にするシステムが提供される。このシステムはトランザクションアカウントに関連付けられたトランザクションフレーズトークンを含んでいる。トランザクションフレーズトークンは、トランザクションフレーズトークン割当てリクエストに関連して、トランザクションフレーズトークン保有者により全体として選択された文字の集合に相当する。このシステムはまたトランザクションフレーズトークン処理サービスも含んでおり、このトランザクションフレーズトークン処理サービスがトランザクションフレーズトークンの表現を含むトランザクションリクエストの遂行リクエストを処理する。したがって、トランザクションフレーズトークン処理サービスは、トランザクションフレーズトークンのコンフィギュレーションに基づいてトランザクションリクエストを処理することができる。
【０００８】
本発明のさらに別の側面では、トランザクションを容易にするまた別のシステムが提供される。この実施形態では、システムはトランザクションアカウントに関連付けられた文字集合に相当するトランザクションフレーズトークンを含んでいる。このシステムはまたトランザクションフレーズトークン処理サービスも含んでおり、このトランザクションフレーズトークン処理サービスがトランザクションフレーズトークンの表現を含むトランザクションリクエストの遂行リクエストを処理する。一方、トランザクションフレーズトークン処理サービスは、トランザクションフレーズトークン保有者によって指定されたトランザクションフレーズトークンのコンフィギュレーションに基づいてトランザクションリクエストを処理する。
【０００９】
本発明のさらに別の側面では、トランザクションの処理を容易にする方法が提供される。この方法はトークン処理サービスが実施するものとしてよい。この方法に従えば、トークン処理サービスが送信側を含む２当事者間のトランザクションの遂行リクエストを取得する。送信側は文字集合に対応するトランザクションフレーズトークンに関連付けられる。トランザクションフレーズトークンに関連付けられたトランザクションアカウントから引き落としを行わせるために、送信側はトランザクションフレーズトークンを受信側に送るだけでよい。次に、トークン処理サービスは少なくとも１つのトランザクションフレーズトークンのコンフィギュレーションに基づいてトランザクション遂行リクエストを処理する。
【００１０】
別の側面によれば、トランザクションフレーズトークンを含むトランザクションを容易にするためのコンピュータ実行可能なコンポーネントを有するコンピュータ可読媒体が提供される。これらのコンピュータ実行可能なコンポーネントには、トランザクションフレーズトークンを選択するためのトークンアカウントインタフェースが含まれている。トランザクションフレーズトークンはトランザクションアカウントに関連付けられる。さらに、トランザクションフレーズトークンは、トークン割当てリクエストに関連してトランザクションフレーズトークン保有者が選択した文字集合に相当する。また、コンピュータ実行可能なコンポーネントは、識別されたトランザクションフレーズトークンに対応するトランザクションリクエストを取得するためのトークン処理コンポーネントも含んでいる。トークン処理コンポーネントは識別されたトランザクションフレーズトークンに関するコンフィギュレーション情報に従ってトランザクションリクエストを処理する。
【００１１】
さらに別の側面においては、トランザクションフレーズトークンの選択を容易にする方法が提供される。この方法はトークン処理サービスが実施するものとしてよい。この方法によれば、トークン処理サービスはユーザが選択したターゲットトランザクションフレーズトークンに対応する文字集合全体を取得する。この文字集合はトランザクションアカウントの調整に使用されるトランザクションフレーズトークンに相当する。トークン処理サービスは、ターゲットトランザクションフレーズトークンが一連のトランザクションフレーズトークンに対して一義的であるか否かを判定する。さらに、トークン処理サービスは、トランザクションフレーズトークンがユーザインタフェース上の一連のトランザクションフレーズトークンに対して一義的であるか否かを表示する。
【００１２】
本発明のさらに別の側面では、トランザクションの処理を容易にする方法が提供される。この方法はトークン処理サービスが実施すものとしてよい。この方法によれば、トランザクションフレーズトークンの受信側が送信側からトランザクションリクエストを取得する。トランザクション遂行リクエストには、トランザクションアカウントに関連付けられたトランザクションフレーズトークンの表現が含まれている。さらに、トランザクションフレーズトークンは、トランザクションフレーズトークン割当てリクエストに関連してトランザクションフレーズトークン保有者が全体として選択した文字の集合に相当する。次に、トランザクションフレーズトークンの受信側は少なくとも１つのトランザクションフレーズトークンのコンフィギュレーションに基づいてトランザクションを遂行するトークン処理サービスにリクエストを送信する。
【００１３】
概して言えば、本発明はトランザクションフレーズトークンを利用してトランザクションを容易にすることに関わっている。１つの側面では、本発明は個人、企業、システム、コンピュータ、サービス等の２以上のトランザクション当事者の間で少なくとも１つの一義的なトランザクションフレーズトークンを送信することによりトランザクションを容易にするシステム及び方法に関している。例示的な実施形態では、一義的なトランザクションフレーズトークンのそれぞれがトランザクションフレーズトークン保有者によって選択された１つ以上の文字からなる集合に相当し、話されたり、書かれたり、パブリッシュされるなどして全体として伝達されたときに、トランザクションフレーズトークン保有者に二次的意味を伝える。この一義的なフレーズトークンは特定の言語、方言、又は記号の集合（例えば英数字文字）に固有のものであってよい。トランザクションフレーズトークンが伝える二次的意味は、トランザクションフレーズトークン保有者の特徴（例えば、「Pearl Jamの一番のファン」）に相当するものであってもよいし、トランザクションフレーズトークンの用途の特徴（例えば、「Joeの家賃及び公共料金」）に相当するものであってもよい。
【００１４】
各トランザクションフレーズトークンは、トランザクションフレーズトークンを含むトランザクションの処理を容易にするコンフィギュレーション情報に関連付けられるようにしてよい。例示的な実施形態では、コンフィギュレーション情報は、トランザクションフレーズトークンに関連付けられたトランザクションアカウント（例えば、銀行口座、クレジットカード口座、サービスプロバイダが作った口座など）に許されている調整動作のタイプ（例えば、引き落とし又は入金）、特定のベンダー、商品／サービス、取引金額、有効期限に関する処理規則の仕様などに関するものであってよい。別の実施形態では、基礎となるトランザクションアカウントを制御するエンティティによってトランザクションフレーズトークンが制御されるようにしてもよい。あるいは、基礎となるトランザクションアカウントを制御するエンティティ（例えば、主エンティティ）が設計したエンティティ（例えば、副エンティティ）によってトランザクションフレーズトークンが制御されるようにしてもよい。例えば、トランザクションアカウントを制御している親が、基礎となるトランザクションアカウントの制御及び／又はトランザクションフレーズトークンの使用を維持しつつ、トランザクションフレーズトークンの使用を子に贈与、貸与、又は許可するようにしてよい。したがって、別の側面では、本発明はトランザクションフレーズトークンを制御するエンティティによるトランザクションフレーズトークンのコンフィギュア及び使用を容易にするシステムと方法とに関している。
【００１５】
説明のために、トランザクションフレーズトークンシステムは二者間でのトランザクションの遂行に使用されるものとする。トランザクションフレーズトークン保有者が、相手方との間で、相手方への資金の振替を要求するトランザクションを遂行したいと望んでいるとしよう。資金の振替を開始するために、トランザクションフレーズトークン保有者は、選択したトランザクションフレーズトークンを、ウェブページインタフェースを介してサブミットしたり、キオスクを介したり、トランザクションフレーズトークンを発声するなどして、相手方に提示する。相手方は、提示されたトランザクションフレーズトークンがサブミットされた結果、提示されたトランザクションフレーズトークンに関連付けられたトランザクションアカウントから、通貨、クレジット、ロイヤルティーポイントなどのような振替可能な証券の振替が為されることを了解して、トランザクションフレーズトークンを受け取る。提示されたトランザクションフレーズトークンを受け取ると、相手方はセキュリティ検証、クレジットチェックなどのような追加の処理ステップを実施する。
【００１６】
引き続きこの実施例を参照すると、相手方は資金／クレジットの振替を生じさせるために資金振替のリクエストをトランザクションフレーズトークン処理サービスに送信し、トランザクションフレーズトークン処理サービスは、取引金額や提示されたトランザクションフレーズトークンの表現に関連する情報及びその他の任意の追加情報を識別する。トランザクションフレーズトークン処理サービスはリクエストを受け取り、トランザクションの自動承認／拒否、特定の当事者への通知、トランザクションフレーズトークン保有者からのトランザクション承認の要求などを含む、提示されたトランザクションフレーズトークンに関連した種々の処理規則を適用する。提示されたトランザクションフレーズトークンに関して設定された処理規則の実行が無事行われると、トランザクションフレーズトークン処理サービスは次にトランザクションアカウントインタフェースを使用して、トランザクションフレーズトークンに関連付けられたトランザクションアカウントから相手方に関連付けられたトランザクションアカウントへの資金／クレジットの振替を生じさせる、又は行わされる。トランザクションが承認されたことが通知される及び／又はトランザクションアカウントへの入金が確認されれば、相手方は商品の発送、サービスの完了／開始などのようなトランザクションに関連した未処理のタスクの履行を生じさせることができる。
【００１７】
以下、本発明を例示的な動作環境及びコンポーネント、例示的なトランザクションフレーズトークン、例示的なトランザクションフレーズトークンの使用例、ならびに例示的なスクリーンディスプレイによって説明するが、当業者であれば、開示された実施形態は例示的な性質のものであり、限定的なものではないことを理解されるはずである。
【００１８】
図１を参照すると、トランザクションフレーズトークンを処理する例示的なトランザクションフレーズトークンシステム１００が示されている。このシステムには、１つ以上のトランザクションフレーズトークンに関連付けることのできる複数のトランザクションフレーズトークン保有者１０２Ａ，１０２Ｂ，１０２Ｃ，１０２Ｄ及び１０２Ｅが含まれている。１つの側面では、トランザクションフレーズトークン保有者がトランザクションフレーズトークンを提示するトランザクションフレーズトークン送信者である場合があり、この場合、トランザクションの一部として、このトランザクションフレーズトークンに関連付けられたトランザクションアカウントから引き落としが行われる。別の側面では、トランザクションフレーズトークン保有者がトランザクションフレーズトークン受信者である場合があり、この場合、トランザクションフレーズトークン保有者はトランザクションフレーズトークンを取得して、トランザクションアカウントへの入金をリクエストする。例示的な実施形態では、トランザクションフレーズトークン受信者がトランザクションの一部として別のトランザクションフレーズトークンを利用することにより、この第２のトランザクションフレーズトークンに関するコンフィギュレーションを利用して第２のトランザクションフレーズトークンに関連付けられたトランザクションアカウントに入金が為されるようにしてよい。あるいは、トランザクションフレーズトークンサービスプロバイダが管理しているトランザクションアカウントへの入金をトランザクションフレーズトークン受信者が直接リクエストするようにしてもよい。
【００１９】
例示的な実施形態では、トランザクションフレーズトークン保有者１０２Ａ，１０２Ｂ及び１０２Ｃのようなトランザクションフレーズトークン保有者は個人である場合もあり、自身のトランザクションフレーズトークンを、パーソナルコンピュータ１０４，携帯電話１０６，専用デバイス（例えば、キオスク、ＰＯＳ端末）、書面などのような種々の通信デバイスを介して、又は口頭で通信することさえありうる。図１に示されているように、通信デバイスの個数及びタイプはトランザクションフレーズトークン保有者によって異なりうる。さらに、通信デバイスは、トランザクションフレーズトークンを受理／送信することのできる例えば携帯電話のような一般的な通信デバイスであるかもしれない。あるいは、通信デバイスはトランザクションフレーズトークンの通信専用にコンフィギュアされた例えばキオスクのようなデバイスであるかもしれない。
【００２０】
別の実施形態では、トランザクションフレーズトークン保有者は、トランザクションフレーズトークン保有者１０２Ｄ及び１０２Ｅのような小売商/ベンダー/サービスプロバイダであってよい。１つの側面では、トランザクションフレーズトークン保有者１０２Ｄ及び１０２Ｅは、トランザクションの一部として、他のトランザクションフレーズトークン保有者からトランザクションフレーズトークンを（例えば受信者として）受信することがある。また別の側面では、トランザクションフレーズトークン保有者１０２Ｄ及び１０２Ｅは、トランザクションの一部として、他のトランザクションフレーズトークン保有者へトランザクションフレーズトークンを送信してもよい。トランザクションフレーズトークン保有者１０２Ｄ及び１０２Ｅは、コンピューティングデバイス、（キオスクやＰＯＳ端末のような）専用デバイス、電話デバイス、音声インタフェース、視覚インタフェースのような種々の通信デバイスを介して、又は人間エージェントを介して口頭で、トランザクションフレーズトークンを送信及び／又は受信してもよい。以下でより詳しく説明されるように、トランザクションフレーズトークン保有者１０２Ｄ及び１０２Ｅが、他のトランザクションフレーズトークン保有者１０２Ａ−１０２Ｃ又は１０２Ｄ−１０２Ｅ（まとめて「トランザクションフレーズトークン保有者１０２」）及びトランザクションフレーズトークン処理サービスとの対話を容易にする複数のコンピュータ実行可能なコンポーネントを実装してもよい。具体的には、トランザクションフレーズトークン保有者１０２Ｄ及び１０２Ｅは、他のトランザクションフレーズトークン保有者１０２からトランザクションフレーズトークンを取得するためのトランザクションフレーズトークンインタフェース１０８を含んでいてよい。例示的な実施形態では、トランザクションフレーズトークンを取得する方法に対応するように特定のトランザクションフレーズトークンインタフェース１０８（例えば、キオスク、通信ネットワーク、口頭、電話など）が選択されるようにしてよい。また、トランザクションフレーズトークン保有者１０２Ｄ及び１０２Ｅはトランザクションフレーズトークン処理サービスと通信するためのサービスプロバイダインタフェース１１０を含んでいてもよい。図１に示されているように、異なるトランザクションフレーズトークン保有者１０２が直接又はインターネットのような通信ネットワークを介してビジネス上の通信／取引をすることができる。
【００２１】
トランザクションフレーズトークンシステム１００はさらに、２以上のトランザクションフレーズトークン保有者１０２の間でのトランザクションの遂行を容易にするためのトランザクションフレーズトークン処理サービス１１２を含んでいてもよい。以下でより詳細に説明されるように、トランザクションフレーズトークン処理サービス１１２は、トランザクションフレーズトークンに関連付けられたトランザクションアカウントからの引き落とし／入金のリクエストを取得し、これらのリクエストを相応に処理することができる。このトランザクションの処理は２つのトランザクションフレーズトークン保有者１０２に関するものとして説明されるが、本発明は単一のトランザクションフレーズトークンの交換によるトランザクションを容易にすることもできる。さらに、別の側面では、トランザクションフレーズトークン処理サービス１１２は保有者のトランザクションフレーズトークンのコンフィギュアを容易にするためにトランザクションフレーズトークン保有者と対話してもよい。
【００２２】
トランザクションフレーズトークン保有者１０２によるトランザクションフレーズトークンの割当てとコンフィギュアを容易にするために、トランザクションアカウントインタフェース１１４をトランザクションフレーズトークン処理サービス１１２によって実現してもよい。また、トランザクションフレーズトークン処理サービス１１２が、トランザクションリクエストの処理を容易にするトランザクションフレーズトークン処理コンポーネント１１６を含んでいてもよい。トランザクションフレーズトークン処理サービスは、データベース、データストア、データファイルなどのような、金融情報、トランザクションアカウント情報、及びトランザクションフレーズトークンコンフィギュレーション情報を含むアカウントデータソース１１８を含んでいてよい。
【００２３】
当業者であれば、トランザクションフレーズトークン処理サービス１１２は種々のトランザクションフレーズトークン保有者１０２との対話のため、及び／又はトランザクションリクエストの処理を容易にするために使用される更なるソフトウェアコンポーネントを含んでいてもよいことが理解されるだろう。例えば、トランザクションフレーズトークン処理サービス１１２は、トランザクションアカウントの維持及び処理を容易にするために金融及びトランザクションに関わる種々のソフトウェアコンポーネントを含む、及び／又は、このようなコンポーネントとのインタフェースとなってもよい。さらに、トランザクションフレーズトークン処理サービス１１２は、トランザクションフレーズトークンをトランザクションフレーズトークン保有者各個人に合わせてカスタマイズするのを容易にする種々のソフトウェアコンポーネントを含む、及び／又は、このようなコンポーネントとのインタフェースとなってもよい。さらに、トランザクションフレーズトークン処理サービス１１２はシステム１００内の単一のコンポーネントとして描かれているが、当業者であれば、トランザクションフレーズトークン処理サービス１１２が通信ネットワーク中に分散できる複数のコンピューティングコンポーネント及び／又はコンピューティングデバイスに相当するものであってよいことを理解されるであろう。
【００２４】
次に図２Ａ−２Ｅを参照して、２つのトランザクションフレーズトークン保有者（例えばトランザクションフレーズトークン保有者１０２Ａと１０２Ｄ）とトランザクションフレーズトークン処理サービス１１２との間の対話の例を説明する。図２Ａを参照すると、トランザクションは２つのトランザクションフレーズトークン保有者、すなわち、受信者１０２Ｄと送信者１０２Ａの対話で始まるものとしてよい。ここで、送信者１０２Ａはいくらかの対話に基づき、トランザクションフレーズトークンを提示するものと仮定される。トランザクションフレーズトークンの提示により、提示されたトランザクションフレーズトークンに関連付けられたトランザクションアカウントから受信者１０２Ｄへの支払いが容易になる。受信者１０２Ｄに関連付けられたトランザクションアカウントへの資金／クレジットの提供及び／又は振替が完了すると、合意項目の移管が完了する。例えば、合意項目が商品ならば、移管は商品の物理的な交換である。合意項目がサービスならば、移管はサービスの実行／遂行である。
【００２５】
既に述べたように、トランザクションフレーズトークンの送信は、通信ネットワークソフトウェアアプリケーション（例えば、ウェブページ、インスタントメッセージなど）、ワイヤレス通信アプリケーション（例えば、テキストメッセージ、Bluetooth伝送など）、専用ハードウェア／ソフトウェア（例えば、キオスク、ＰＯＳ端末、接続可能デバイス）、口頭（例えば、電話や対面）、及び／又は他のパブリケーションの仕組み（例えば、タブレットコンピューティングデバイス、バーコード、紙など）を含む多様な通信方法のうちのどれを使用して行ってもよいが、これらの通信方法に限定されない。同じく既に述べたように、トランザクションフレーズトークンは、話されたり、書かれたり、パブリッシュされるなどのように、全体として通信されたときに、トランザクションフレーズトークン保有者に二次的意味を伝える文字の集合（例えば、「コーヒーが好き」）から成っている。
【００２６】
提示されたトランザクションフレーズトークンに基づいて、受信者１０２Ｄはトランザクションフレーズトークンの内部処理を行ってよい。例示的な実施形態では、受信者１０２Ｄはトランザクションが終了するまで合意項目の発送又は履行を保留してよい。別の実施形態では、受信者１０２Ｄはセキュリティ規定を完遂するために送信者１０２Ａに追加情報をリクエストしてもよい。例えば、受信者１０２ＤはＰＩＮ又はパスワードをリクエストしてよい。さらに別の実施形態では、受信者１０２Ｄはクレジットカードのような予備の支払い形態をリクエストしてよい。さらに別の実施形態では、受信者１０２Ｄは、受信したトランザクションフレーズトークンの表現が他の既存のトランザクションフレーズトークンの表現と類似しているか否かを識別する初期処理を実施してもよい。例えば、受信者１０２Ｄがターゲットフレーズトークン（例えば、“Red Book”）の口頭表現を受信した場合、受信者はシステム１００内に音声的に類似した他のトランザクションフレーズトークン（例えば、“Read Book”）が存在しているか否かを調べるようにしてよい。同様に、受信者１０２Ｄが書かれた表現（例えば、“Potatoe Salad”）を受信した場合、受信者１０２Ｄは他の類似した綴り又は正しい綴りのトランザクションフレーズトークン（例えば、“Potato Salad”）を割り出すようにしてよい。この実施形態では、受信者１０２Ｄは適切なトランザクションフレーズトークンを確認してくれるよう送信者１０２Ａに頼んでもよい。
【００２７】
何らかの初期処理の完了後、受信者１０２Ｄはトランザクションフレーズトークン処理サービス１１２にトランザクションの承認を求めるリクエストを送信する。このリクエストには、送信者１０２Ａが提示したトランザクションフレーズトークンのＩＤ、トランザクションフレーズトークン保有者に関する更なる情報、トランザクションに関する記述情報、及び受信者１０２Ｄに対するトランザクションフレーズトークン（又は他のトランザクションアカウント処理情報）のような、トランザクションに対応した情報を含ませてもよい。
【００２８】
リクエストを受信すると、トランザクションフレーズトークン処理サービス１１２がトランザクションフレーズトークン処理リクエストの自動処理を開始するようにしてよい。例示的な実施形態では、各トランザクションフレーズトークンは、トランザクションフレーズトークン処理サービス１１２により実行可能な複数の処理規則／命令を用いてコンフィギュアされるものとしてよい。ある実施形態では、処理規則は特定のトランザクションフレーズトークン受信者によるリクエストの自動的な承認／拒否、例えばこの会社からのトランザクションフレーズトークンリクエストは決して受け入れないなど、に相当するものであってよい。別の実施形態では、処理規則はすべてのトランザクションに対する自動的な承認／拒否の値閾、例えば＄１０未満のトランザクションはすべて承認するなど、に相当するものであってよい。別の実施形態では、処理規則は商品／サービスのタイプ又は商品／サービスの分野の自動的な承認／拒否、例えばアダルト物に関するトランザクションはすべて自動的に拒否するなど、であってよい。さらに別の実施形態では、処理規則はトランザクションフレーズトークンに関連付けられたトランザクションアカウントの使用制限であってよい。例えば、トランザクションフレーズトークンに関連付けられたトランザクションアカウントは入金専用とし、決して引き落としはできないものとしてよい。さらには、処理規則は申し出のあったトランザクションがトランザクションフレーズトークン保有者又は他の指定機関により承認されることを要求するリクエストであってもよい。例えば、デフォルトとして、すべてのトランザクションフレーズトークンはすべてのトランザクションに関してトランザクションフレーズトークン送信者の承認を要するとしてもよいだろう。またさらに別の実施形態では、処理規則はトランザクションフレーズトークンを積極的にトランザクションに使用できるか否かを指定する期限切れデータ又は取消しデータに相当するものであってもよい。当業者であれば、トランザクションフレーズトークンに合わせて、様々な処理規則の組合せ又は処理の追加／排除を含む、様々なコンフィギュレーションオプションを行使できることを理解されるだろう。
【００２９】
引き続き図２Ａを参照すると、送信者承認が要求される場合、トランザクションフレーズトークン処理サービス１１２が送信者１０２Ａに承認リクエストを伝えるようにしてよい。例示的な実施形態では、トランザクションフレーズトークン処理サービスは、送信者１０２Ａへの通知と承認のリクエストを行う種々の通信方法のうち、いずれを利用してもよい。ある実施形態では、トランザクションフレーズトークン処理サービスが、送信者１０２Ａに関連付けられた指定通信アカウントへ、Ｅメール、テキストメッセージ、又はインスタントメッセージのような電子メッセージを送信するようにしてよい。別の実施形態では、一括したトランザクション承認リクエストをセキュアＷＥＢページを介して送信者１０２Ａに提示してもよい。さらに別の実施形態では、受信者１０２Ｄに関連付けられた物理的な場所に位置する専用デバイス（例えば、キオスク）により生成される承認インタフェースを送信者１０２Ａに提示してもよい。例えば、送信者１０２Ａはキオスクにログオンし、物理的に受信者の事業所内にいる間にトランザクションを承認するように求められる。さらに別の実施形態では、送信者１０２Ａが電話を基礎にしたインタフェースを介してトランザクションを承認することができるように、トランザクションフレーズトークン処理サービス１１２が対話式の音声サービスを提供するようにしてもよい。また、付加的又は代替的な通知／承認方法を実施してもよい。
【００３０】
次に図２Ｂを参照すると、例示的な実施形態では、送信者１０２Ａが上記のようにトランザクションに対する承認を送信する。その場合、トランザクションフレーズトークン処理サービス１１２がこの承認を処理する。１つの側面では、受信者と送信者のトランザクションアカウントはトランザクションによって規定された仕方で入金及び引き落としされるものとしてよい。別の側面では、トランザクションフレーズトークンの追加コンフィギュレーションのために、送信者１０２Ａがトランザクションフレーズトークン処理サービス１１２にフィードバックを提供してもよい。なお、トランザクションフレーズトークンの追加コンフィギュレーションについては、以下でより詳しく説明する。別の側面では、トランザクションフレーズトークン処理サービス１１２は、各トランザクションフレーズトークン保有者１０２Ａ，１０２Ｄについて、承認の数と送信者１０２Ａ又は受信者１０２Ｄのいずれかに関する更なるフィードバックとに関して、格付け又は統計的なトラッキング情報の保守及び更新も行ってよい。また、トランザクションフレーズトークン処理サービス１１２が受信者１０２Ｄに承認の通知を送信してもよい。
【００３１】
次に図２Ｃを参照すると、代替的な実施形態では、送信者１０２Ａが上記のようにしてトランザクションに対する拒否を送信する。この場合、トランザクションフレーズトークン処理サービス１１２は様々な仕方でこの拒否を処理してよい。ある側面では、トランザクションフレーズトークンの追加コンフィギュレーションのために、送信者１０２Ａがトランザクションフレーズトークン処理サービス１１２にフィードバックを提供してもよい。なお、トランザクションフレーズトークンの追加コンフィギュレーションについては、以下でより詳しく説明する。別の側面では、トランザクションフレーズトークン処理サービス１１２が、各トランザクションフレーズトークン保有者について、拒否の数と送信者１０２Ａ又は受信者１０２Ｄのいずれかに関する更なるフィードバックとに関して、格付け又は統計的なトラッキング情報の保守及び更新も行うようにしてよい。さらに別の側面では、トランザクションフレーズトークン処理サービス１１２が受信者１０２Ｄに通知を送信してもよい。受信者１０２Ｄは、この通知に基づいて、送信者１０２Ａ及び／又はトランザクションフレーズトークン処理サービス１１２にフィードバックを提供し、それによってトランザクションを修正したり、又は、拒否されたトランザクションに関連した情報を解明するようにしてよい。例えば、受信者１０２Ｄは、リクエストのエラーを解明しようとする、及び／又は、トランザクションフレーズトークン処理サービス１１２もしくは送信者１０２Ａからの追加情報を得ようとするかもしれない。
【００３２】
次に図２Ｃを参照すると、図２Ｂに代わる実施形態では、送信者１０２が上記のようにして予断によるトランザクション拒否を送信する。この実施形態では、トランザクション遂行のために、提示されたトランザクションフレーズトークンの処理リクエストを訂正することはできないと仮定されている。図２Ｃと同様に、トランザクションフレーズトークン処理サービス１１２はこの場合様々な仕方でこの予断による拒否を処理してよい。１つの側面では、トランザクションフレーズトークン処理サービス１１２は、各トランザクションフレーズトークン保有者について、予断による拒否の数と送信者１０２Ａ又は受信者１０２Ｄのいずれかに関する更なるフィードバックとに関して、格付け又は統計的なトラッキング情報の保守及び更新も行ってよい。その場合、トランザクションフレーズトークン処理サービス１１２が予断による拒否の通知を受信者１０２Ｄに送信する。受信者１０２Ｄはこの通知に基づいて予断による拒否を処理することができるが、必ずしもフィードバックを提供しなくてもよい。例えば、受信者１０２Ｄは履行プロセスを終了してもよいし、又はトランザクションの合意項目を返すよう求めるリクエストを開始してもよい。
【００３３】
次に図２Ｅを参照すると、別の実施形態では、別のトランザクションが２つのトランザクションフレーズトークン保有者、すなわち、受信者１０２Ｄと送信者１０２Ａの対話で始まるものとしてよい。この実施形態では、送信者１０２Ａは対話に基づき、受信者１０２Ｄから送信者のトランザクションフレーズトークンに関連付けられたトランザクションアカウントへの支払いを受け取るためにトランザクションフレーズトークンを提示するものと仮定される。例えば、送信者１０２Ａのトランザクションフレーズトークンは、自分の主張に対して他のエンティティが寄付してくれることを望む慈善事業に相応するものであるかもしれない。既に述べたように、トランザクションフレーズトークンの送信は、通信ネットワークソフトウェアアプリケーション、携帯電話、専用ハードウェア／ソフトウェア、口頭、及び／又は他のパブリケーションの仕組みを含む多様な通信方法のうちのどれを使用して行ってもよいが、これらの通信方法に限定されない。同じく既に述べたように、トランザクションフレーズトークンは、話されたり、書かれたり、パブリッシュされるなどのように、全体として通信されたときに、トランザクションフレーズトークン保有者に二次的意味を伝える文字の集合（例えば、「赤十字ハリケーン救援活動」）から成っている。
【００３４】
提示されたトランザクションフレーズトークンに基づいて、受信者１０２Ｄはトランザクションフレーズトークンの内部処理を行ってよい。例示的な実施形態では、受信者１０２Ｄはセキュリティ規定を完遂するために追加情報をリクエストしてよい。例えば、受信者１０２Ｄは送信者１０２ＡからＰＩＮ又はパスワードをリクエストしてよい。何らかの初期処理の完了後、受信者１０２Ｄはトランザクションフレーズトークン処理サービス１１２にトランザクションの承認を求めるリクエストを送信する。このリクエストには、送信者１０２Ａが提示したトランザクションフレーズトークンのＩＤ、トランザクションフレーズトークン保有者に関する追加情報、トランザクションに関する記述情報、及び／又は受信者１０２Ｄに関連したトランザクションフレーズトークン（又は他のトランザクションアカウント処理情報）のような、トランザクションに対応した情報が含まれていてよい。
【００３５】
リクエストを受信すると、トランザクションフレーズトークン処理サービス１１２がトランザクションフレーズトークン処理リクエストの自動処理を開始するようにしてよい。上で述べたように、各トランザクションフレーズトークンはトランザクションフレーズトークン処理サービス１１２によって実行可能な複数の処理規則／命令に関連付けられるようにしてよい。この側面では、受信者のトランザクションフレーズトークンのスプーフィングを防ぐために、１つ又は複数の処理規則を実施してもよい。ある実施形態では、これら処理規則は特定の送信者によるリクエストの自動承認／拒否、例えばこの会社からのトランザクションフレーズトークンリクエストは決して受け入れないなど、を含むものであってよい。別の実施形態では、これら処理規則はすべてのトランザクションに関する自動承認／拒否の値閾を含んでいてよい。さらに別の実施形態では、これら処理規則は商品／サービスのタイプ又は商品／サービスの分野の自動的な承認／拒否としてよい。さらに別の実施形態では、処理規則はトランザクションフレーズトークンに関連付けられたトランザクションアカウントの使用制限であってよい。さらには、これら処理規則は送信者の承認を要求するリクエストに相当するものであってもよい。しかし、上記の例示的な実施形態では、トランザクションフレーズトークン処理サービス１１２は一般的には送信者からの承認を必要としない。というのも、送信者のアカウントは入金されるのがほとんどだからである。送信者のアカウントと受信者のアカウントに入金及び引き落としが行われた際に、トランザクションフレーズトークン処理サービス１１２が送信者１０２Ａと受信者１０２Ｄにトランザクションの完了を通知するようにしてもよい。
【００３６】
次に、図３を参照して、トランザクションフレーズトークン処理サービス１１２によって実施されるトランザクションフレーズトークンの割当て及びコンフィギュアのルーチン３００を説明する。ブロック３０２では、トランザクションフレーズトークン処理サービス１１２のトランザクションアカウントインタフェースコンポーネント１１４がトランザクションフレーズトークン割当てリクエストを取得する。例示的な実施形態では、このリクエストは、潜在的なトランザクションフレーズトークン保有者による自発的なリクエストの際に、インターネットウェブページを介するなどして、発生するものとしてよい。さらに、トランザクションフレーズトークンリクエストは、支払いをするためにトランザクションフレーズトークンの保護を求めるプロンプトに応える、及び／又は支払いを受け取るためにトランザクションフレーズトークンの保護を求めるリクエストに応えるなど、トランザクションの遂行に直接関係するものであってもよい。
【００３７】
ブロック３０４では、トランザクションアカウントインタフェースコンポーネント１１４が潜在的なトランザクションフレーズトークン保有者からターゲットトランザクションフレーズトークンを取得する。例示的な実施形態では、ターゲットトランザクションフレーズトークンは、パーソナルコンピュータのような通信デバイス上に生成されるユーザインタフェースを介して取得されるものとしてよい。ターゲットトランザクションフレーズトークンを取得するためのインタフェースについては、後で図４Ａを参照して説明する。判定ブロック３０６では、ターゲットトランザクションフレーズトークンの適正性を判定するテストが行われる。１つの側面では、ターゲットトランザクションフレーズトークンを構成する文字の集合は、トランザクションフレーズトークン保有者１０２の少なくとも１つのクラスに対して一義的であることが要求されるものとしてよい。例えば、ターゲットトランザクションフレーズトークンが、既に存在する別のトランザクションフレーズトークンと完全に同一であったり、又は簡単な変形（例えば、複数形、よくある綴り間違いなど）であることがあってはならない。さらに、ターゲットトランザクションフレーズトークンは（例えば、デュアルトーンマルチ周波数“ＤＴＭＦ”、トランザクションフレーズトークンの発音などのような）その種々の表現において一義的であることも要求されるものとしてよい。
【００３８】
ブロック３０８において、ターゲットトランザクションフレーズトークンが一義的であると判定されなかった場合、トランザクションアカウントインタフェースコンポーネント１１４は一義的でないターゲットトランザクションフレーズトークンを処理し、ルーチン３００は判定ブロック２０６に戻る。例示的な実施形態では、ターゲットトランザクションフレーズトークンが一義的でない場合には、トランザクションアカウントインタフェースコンポーネント１１４がスクリーンディスプレイ上に視覚的な合図を出すようにしてよい。さらに、トランザクションアカウントインタフェースコンポーネント１１４は、以前にサブミットされたターゲットトランザクションフレーズトークンの変形や、トランザクションフレーズトークン保有者に関連した情報に基づいて、データベースやデータストアのような利用可能な、もしくは一般に使用されているトランザクションフレーズトークンのソースから、代わりとなるトランザクションフレーズトークンの提案を行ってもよい。別の側面では、各トランザクションフレーズトークンがトランザクションフレーズトークン処理サービス１１２のポリシーに従って適正であることを要求されるようにしてもよい。ある実施形態では、トランザクションフレーズトークン処理サービス１１２は攻撃的な単語やフレーズを含むトランザクションフレーズトークンを禁止してもよい。別の実施形態では、トランザクションアカウントインタフェースコンポーネント１１４は、辞書、ブラックリスト、除外語などに基づいて二次的意味の検証を試みるロジックを含んでいてよい。トランザクションアカウントインタフェースコンポーネント１１４は、一義的でないターゲットトランザクションフレーズトークンを処理するために、図４Ａに示されているインタフェースを使用してもよい。
【００３９】
次に図４Ａを参照して、ターゲットトランザクションフレーズトークンの選択を容易にするためにコンピューティングデバイスによって生成されるスクリーンディスプレイ４００の説明を行う。図４Ａに示されているように、スクリーンディスプレイ４００は、キーボード、タッチパッドなどを介するなどしてターゲットトランザクションフレーズトークンに相当するデータエントリを取得する第１の入力部４０２を有している。したがって、スクリーンディスプレイ４００は様々なターゲットトランザクションフレーズトークンを入力するためのセクションを提供するものとしてよい。既に述べたように、スクリーンディスプレイは、提示されたトランザクションフレーズトークンの外観をいくらか変更することにより、トランザクションフレーズトークンが適正であることを視覚的に示すことができる。例えば、提出されたトランザクションフレーズトークンが適正なフレーズトークン（例えば、判別可能な二次的意味）であると判定されるまで、タイプ中のトランザクションフレーズトークンを赤フォントで、及び／又は確定された曖昧値として表示するようにしてよい。さらに、スクリーンディスプレイ４００は、サブミットされたターゲットトランザクションフレーズトークンが適正であるか否か、及び／又は一義的であるか否かを示す、スポットライト４０６のような視覚的合図を含んでいてもよい。
【００４０】
引き続き図４Ａを参照すると、スクリーンディスプレイ４００は、種々のリソースを利用して受け入れ可能なトランザクションフレーズトークンを潜在的なトランザクションフレーズトークン保有者に提案する第２の部分４０８を含んでいてよい。ある実施形態では、トランザクションアカウントインタフェースコンポーネント１１４は個人に関する様々なアイテム（例えば、製品／サービス）に対応する様々なフレーズ又は語を選択するために推薦エンジンを利用してもよい。当業者であれば、推薦エンジンは購入履歴、ウェブページ閲覧履歴、検索語履歴、セッショントラッキング履歴、所有リスト又はレンタルリスト、お気に入りなどに基づいて、個人にお薦めを提示することができることを理解されるであろう。例えば、ユーザがシャーロック・ホームズの推理本を複数購入していれば、スクリーンインタフェースは潜在的なトランザクションフレーズトークンとして「シャーロック・ホームズファン」４１０又は「ミステリーファン」４１２を提案するというようにしてよい。トランザクションアカウントインタフェースコンポーネント１１４はまた、識別された個人プロフィールに関する更なるリソースを利用して、プロフィール中に見られるアイテムに最も特有でありそうなフレーズを生成するものとしてもよい。先の例に関して、トランザクションアカウントインタフェースコンポーネント１１４は上記シャーロック・ホームズ推理本をすべてブラウズし、統計的にこれらの本に最も共通していそうなフレーズとして「初歩的なことだよ、ワトソン君」４１４を特定するようにしてもよい。さらには、トランザクションアカウントインタフェースコンポーネント１１４はデータベースのようなデータソースから利用可能なトランザクションフレーズトークンのリストを提供してもよい。このリストは、以前に使用したトランザクションフレーズトークン、様々なポップカルチャーフレーズ（又はそのバリエーション）のセレクション、潜在的なトランザクションフレーズトークンを手作業でリストアップしたものなどであってよい。
【００４１】
さらに別の実施形態では、トランザクションアカウントインタフェースコンポーネント１１４がターゲットトランザクションフレーズトークンを選択する権限をエンティティに要求するようにしてもよい。例えば、トランザクションアカウントインタフェースコンポーネント１１４は、あるトランザクションフレーズトークンを「プレミアムトランザクションフレーズトークン」に分類してもよい。１つの側面では、プレミアムトランザクションフレーズトークンを取得する際、トランザクションアカウントインタフェースコンポーネント１１４がトランザクションアカウントからの資金の振替を要求するかもしれない。別の側面では、トランザクションアカウントインタフェースコンポーネント１１４は、プレミアムトランザクションフレーズトークンの権限を得るための、及び／又は、選択されたプレミアムトランザクションフレーズトークンを維持するための使用要件（例えば、個人はプレミアムトランザクションフレーズトークンの権限を得るにはひと月につきある一定数のトランザクションを遂行しなければならない。）を与えてもよい。当業者であれば、付加的な又は代替的な提案／検証メカニズムをスクリーンディスプレイ内に、又は複数のスクリーンディスプレイの一部として、組み込むこともできることを理解されるであろう。
【００４２】
図３に戻ると、トランザクションアカウントインタフェースコンポーネント１１４は、一義的なターゲットトランザクションフレーズトークンが識別されると、ブロック３１０においてトランザクションフレーズトークンのコンフィギュレーション情報を取得する。例示的な実施形態では、トランザクションアカウントインタフェースコンポーネント１１４はトランザクションフレーズトークンコンフィギュレーション情報を取得するためのインタフェースを生成する。これについては、後で図４Ｂとの関連で説明する。例示的な実施形態では、トランザクションアカウントインタフェースコンポーネント１１４が、サービスプロバイダに受け入れられる１つ又は複数のトランザクションアカウント（例えば、銀行口座、クレジットカード口座、サービスプロバイダが作成した口座など）を特定するようユーザに促し、このアカウントが選択されたトランザクションフレーズトークンに関連するトランザクションの調整に使用される。別の実施形態では、トランザクションアカウントインタフェースコンポーネント１１４はサービスプロバイダに受け入れられるトランザクションアカウントを作成するために更なる金融情報を取得してもよい。ブロック３１２において、トランザクションアカウントインタフェースコンポーネント１１４はターゲットトランザクションフレーズトークンを使用可能にする。代替的な実施形態では、トランザクションフレーズトークン処理サービス１１２が何らかのタイプの待ち時間と更なる制御とを実施して、新たに取得したトランザクションフレーズトークンの濫用を防止してもよい。さらには、トランザクションフレーズトークン処理サービス１１２が似た綴り又は似た発音の他のトランザクションフレーズトークンを選択するオプションをトランザクションフレーズトークン保有者に提示してもよい。
【００４３】
次に図４Ｂを参照して、ターゲットトランザクションフレーズトークンのコンフィギュアを容易にするためにコンピューティングデバイスによって生成されるスクリーンディスプレイ４５０を示したブロック図の説明を行う。図４Ｂに示されているように、スクリーンディスプレイ４５０はコンフィギュアされるべき選択されたトランザクションフレーズトークンを特定する第１の部分４５２を含んでいる。スクリーンディスプレイ４５０はまた、様々なトランザクションフレーズトークンコンフィギュレーション情報を得るための第２の部分４５４も含んでいる。ある実施形態では、スクリーンディスプレイ４５０は、トランザクションフレーズトークンに関連付けられたトランザクションアカウントが引き落とし専用なのか、それとも入金専用なのかをトランザクションフレーズトークン保有者に選択させるようにしてもよい。例えば、スクリーンディスプレイ４５０が、トランザクションフレーズトークンを引き落とし用にコンフィギュアするための選択可能なコントロール４５６と、トランザクションフレーズトークンを入金用にコンフィギュアするための別の選択可能なコントロール４５８を提供するようにしてよい。  別の実施形態では、スクリーンディスプレイ４５０は、トランザクションフレーズトークンを国際取引に使用するか及び／又はどの通貨を使用可能とするかを、コントロール４６０などを使用してトランザクションフレーズトークン保有者に選択させてもよい。当業者であれば、コントロール４５６，４５８及び／又は４６０はデフォルトの設定にコンフィギュアされていてもよいことを理解されるであろう。
【００４４】
別の実施形態では、スクリーンディスプレイ４５０は、トランザクションフレーズトークン保有者に様々なトランザクションに関する自動処理規則を指定させてもよい。例えば、トランザクションフレーズトークン保有者は、コントロール４６２において識別情報を選択することによって、あるいはコントロール４６２に識別情報を入力することによって、ベンダーのような他の識別可能なエンティティからのトランザクションを自動的に承認又は拒否することができる。別の例では、トランザクションフレーズトークン保有者は、最近取得したアイテムのリストからの選択、カタログからのアイテムの選択、又はコントロール４６４に説明情報を与えることにより、特定の商品／アイテム又は特定の種類の商品もしくはアイテムについてのトランザクションを自動的に承認又は拒否することができる。さらに別の例では、トランザクションフレーズトークン保有者はコントロール４６６に示された取引金額に基づいてトランザクションを自動的に承認又は拒否することができる。さらに別の例では、トランザクションフレーズトークン保有者は、コントロール４６８において、トランザクションフレーズトークンの使用を許された１つ又は複数の代行者を指定することができる。さらに別の例では、トランザクションフレーズトークン保有者は、トランザクションフレーズトークンをトランザクションに使用できる有効期限（例えば、日付又は時間範囲）をコントロール４７０において指定することができる。さらに別の例では、トランザクションフレーズトークン保有者は、トランザクションフレーズトークンを使用可能にするか否かをコントロール４７２において手動で選択することができる。当業者であれば、トランザクションフレーズトークン保有者は処理規則の組合せ（例えば、教科書に関しては、＄１００未満ならば、自分の息子からJoe’s書店へのすべてのトランザクションを自動的に受け入れる）を指定することができるということを理解されるであろう。
【００４５】
引き続き図４Ｂを参照すると、スクリーンディスプレイ４５０の第２の部分４５４は、選択されたトランザクションフレーズトークンに関連した更なるコンフィギュレーションサービスを含んでいてもよい。１つの側面では、トランザクションフレーズトークン保有者は、リンク４７４を選択するなどして、他のトランザクションフレーズトークンによる勘定を実施することを許可されてよい。例えば、トランザクションフレーズトークン（例えば、「大学のルームメイトの家賃と公共料金」）を組み立てて、特定のトランザクションフレーズトークンに関連付けられたトランザクションアカウントから家賃及び公共料金のすべての支払いを行うようにしてもよい。同様に、トランザクションフレーズトークン保有者は他のトランザクションフレーズトークン（例えば、「Ｐｅｔｅｒの家賃」、「Ｊｏｈｎの家賃」及び「Ｂｉｌｌの家賃」）に関連付けられた１つ又は複数のトランザクションアカウントに引き落としを分割することもできる。別の側面では、トランザクションフレーズトークン保有者は、リンク４７６を選択するなどして、高度なトランザクションフレーズトークン報告サービスにアクセスしたいと望むかもしれない。その場合、例えば、トランザクションフレーズトークン処理サービス１１２が、承認待ちのすべてのトランザクション、承認されたすべてのトランザクション及び拒否されたすべてのトランザクションの詳細なリストを提供するようにしてよい。別の例では、トランザクションアカウントインタフェースコンポーネント１１４は、トランザクションフレーズトークン保有者に最も多額の資金を振り替えたエンティティ又はトランザクションフレーズトークン保有者から最も多額の資金を受け取ったエンティティの身元などのような統計情報を提供するようにしてもよい。
【００４６】
別の側面では、トランザクションフレーズトークン保有者は、トランザクションフレーズトークンの使用の更なるマイニングを可能にするため、リンク４７８を選択するなどして様々なメタデータを特定のトランザクションフレーズトークンに関連付けたいと望むかもしれない。例えば、「コーヒーが好き」をすべての娯楽関連支出に関連付けてもよい。こうして、トランザクションアカウントインタフェースコンポーネント１１４はこのメタデータを利用して、更なる統計情報処理サービスをトランザクションフレーズトークン保有者に提供することができる。例えば、トランザクションアカウントインタフェースコンポーネント１１４は、「娯楽」をメタデータに持つトランザクションフレーズトークンに関連したすべてのトランザクションを識別して、娯楽関連の振替の月毎のリストを提供するようにしてよい。さらに別の側面では、トランザクションフレーズトークン処理サービス１１２は、リンク４８０を選択するなどして、トランザクションフレーズトークン処理サービスを売却／使用するための市場を提供してもよい。例示的な実施形態では、例えば「コーヒーが好き」などの、ある種のトランザクションフレーズトークンが非常に人気であるかもしれない。したがって、トランザクションフレーズトークン保有者はトランザクションフレーズトークンの鑑定、売却、及び／又は賃貸を検討することができるかもしれない。当業者であれば、リンク４７４−４８０の選択により更なるコンフィギュレーションサービスを可能にする更なるスクリーンディスプレイが生成されるようにしてもよいことを理解されるであろう。
【００４７】
次に図５を参照して、トランザクションフレーズトークン処理ルーチン５００の説明をする。ブロック５０２において、トランザクションフレーズトークン処理サービス１１２のトランザクショントークン処理コンポーネント１１６が、少なくとも１つのトランザクションフレーズトークンを含むトランザクションリクエストを受信者１０２（図２Ａ−２Ｅ）から取得する。上で述べたように、トランザクションフレーズトークンは様々な仕方で表現することができる。ある実施形態では、送信者１０２Ａは、トランザクションフレーズトークンに関連付けられたトランザクションアカウントからの引き落としを容易にするため、ウェブサイトを介してトランザクションフレーズトークンをサブミットする。図６Ａには、コンピューティングデバイスによって生成されるスクリーンディスプレイ６００のブロック図が示されている。このスクリーンディスプレイ６００は購入トランザクションを遂行する際のトランザクションフレーズトークンのサブミットを容易にするためのものである。図６Ａに示されているように、スクリーンディスプレイ６００は、購入物の識別アイテム６０２と、トランザクションに関連した種々の項目６０４、例えば、アイテムのベンダー、アイテム購入に関連した価格、配送情報、技術仕様など、を含む典型的なｅコマースウェブページに相当するものであってよい。さらに、スクリーンディスプレイ６００は、入力フィールド６０８を介するなどして、支払い方法としてトランザクションフレーズトークンをサブミットするための部分６０６も含んでいる。
【００４８】
別の実施形態では、送信者はトランザクションフレーズトークンに関連付けられたトランザクションアカウントへの入金を容易にするためにトランザクションフレーズトークンをサブミットする。図６Ｂには、コンピューティングデバイスによって生成されるスクリーンディスプレイ６５０のブロック図が示されている。このスクリーンディスプレイ６５０はトランザクションを遂行する際のトランザクションフレーズトークンの送信を、例えばパブリケーションなどによって、容易にするためのものである。図６Ｂに示されているように、スクリーンディスプレイ６００は、トランザクションフレーズトークン保有者の特徴を同定する情報など、ソフトウェアアプリケーションブラウザ上にリンダリングされるコンテンツ６５２を含む典型的なウェブページに相当するものであってよい。さらに、スクリーンディスプレイ６５０はトランザクションフレーズトークンをパブリッシュするためのセクション６５４を含んでいる。この例示的な実施例では、トランザクションフレーズトークンはチャリティーに対応しており、このトランザクションフレーズトークンに関連付けられたトランザクションアカウントは入金専用で、引き落としはできないように構成されているとしてよい。
【００４９】
図５に戻ると、判定ブロック５０４において、トランザクショントークン処理コンポーネント１１６は、提示されたトランザクションフレーズトークンに関連した何らかの自動処理規則が存在しているか否かを判定する。そのような規則が存在していれば、ブロック５０６においてトランザクションフレーズトークン処理サービス１１２が自動処理規則に基づいてトランザクションを承認又は拒否し、ルーチン５００は終了する。既に述べたように、自動処理規則は、ベンダー、アイテム／サービス、及び／又は取引金額のようなトランザクションの様相に基づいて、提案されたトランザクションを自動的に拒否又は承認することであってよい。トランザクションフレーズトークンに対して追加の処理規則又は代替的な処理規則を使用してもよい。例示的な実施形態では、自動承認の処理は、トランザクションの条項に規定された通りに２つのトランザクションアカウント間で資金の振替をすることを含んでいてるものとしてよい。さらに、自動承認の処理は、トランザクションの二当事者間での通知の送信／合意項目（例えば、現金、サービス、商品、バリューなど）の移管の指示を含んでいる。自動承認の処理はさらに、送信者と受信者に関する情報の更新、トランザクションが成功したことの通知、及び／又は、いずれかの側から提供された任意の追加情報を含んでいてよい。別の実施形態では、自動拒否の処理は通知の送信、トランザクションフレーズトークン保有者プロフィールの更新、及び／又はトランザクションフレーズトークンの追加コンフィギュレーション情報の収集を含んでいてよい。自動拒否の処理はさらに、送信者と受信者に関する情報の更新、トランザクションが成功しなかったことの通知、及び／又は、いずれかの側から提供された任意の追加情報を含んでいてよい。さらに別の実施形態では、自動処理規則は受信者及び／又は送信者のレピュテーションスコアの処理を含んでいてもよい。レピュテーションスコアは、以前のトランザクションの承認又は拒否のそれぞれに対応付けられた値の合計としてよい。例えば、レピュテーションスコアが承認されたトランザクションの場合には正の値であり、受信者のレピュテーションスコア（例えば、以前のトランザクション履歴に相応する）が閾値未満ならば、トランザクションは自動的に拒否される。
【００５０】
判定ブロック５０６において自動処理規則が存在しないならば、トランザクショントークン処理コンポーネント１１６はブロック５０８において受け入れリクエストを送信者１０２Ａに送信する。上で述べたように、トランザクションフレーズトークン処理サービス１１２が送信者にリクエストを送信するために使用しうるメカニズムは複数存在している。判定ブロック５１０では、申し出のあったトランザクションがトランザクションフレーズトークン保有者によって受け入れられたか否かを判定するテストが行われる。例示的な実施形態では、トランザクショントークン処理コンポーネント１１６は、受け入れを示す応答通信がトランザクションフレーズトークン保有者から受信されたか否かを判定する。さらに、トランザクショントークン処理コンポーネント１１６は、応答通信がトランザクションフレーズトークン保有者から受信されなかった場合に、トランザクションが自動的に承認又は拒否されるようにする時間コンポーネントを内蔵していてもよい。送信者がトランザクションを受け入れると、ブロック５１２において、トランザクショントークン処理コンポーネント１１６がトランザクション受け入れを処理する。例示的な実施形態では、受け入れの処理は、トランザクションの条項に規定された通りに２つのトランザクションアカウント間で資金の振替をすることを含んでいてるものとしてよい。さらに、受け入れの処理は、トランザクションの当事者間での通知の送信／合意項目の移管の指示を含んでいてよい。
【００５１】
上で述べたように、トランザクショントークン処理コンポーネント１１６は、通知の送信、トランザクションフレーズトークン保有者プロフィールの更新、及び／又はトランザクションフレーズトークンの追加コンフィギュレーション情報の収集を行ってもよい。受け入れの処理はさらに、送信者と受信者に関する情報の更新、トランザクションが成功したことの通知、及び／又は、いずれかの側から提供された任意の追加情報を含んでいてよい。例えば、各トランザクションフレーズトークン保有者を、以前の受け入れ／拒否の数を表すレピュテーションスコアに関連付けてもよい。
【００５２】
一方、送信者がトランザクションを拒否した場合には、トランザクショントークン処理コンポーネント１１６はブロック５１４においてトランザクション拒否を処理する。上で述べたように、トランザクショントークン処理コンポーネント１１６は、通知の送信、トランザクションフレーズトークン保有者プロフィールの更新、及び／又はトランザクションフレーズトークンの追加コンフィギュレーション情報の収集を行ってもよい。拒否の処理はさらに、送信者と受信者に関する情報の更新、トランザクションが成功しなかったことの通知、及び／又は、いずれかの側から提供された任意の追加情報を含んでいてよい。さらに、トランザクショントークン処理コンポーネント１１６は予断なしの拒否に関して更なるフィードバックを開始／促進してもよい。ブロック５１６において、ルーチン５００は終了する。
【００５３】
上で述べたように、別の例示的な実施形態では、トランザクションフレーズトークン保有者が送信者１０２Ａである場合には、申し出のあったトランザクションを受け入れるようにトランザクションフレーズトークン保有者に促すようにしてよい。さらに、トランザクションフレーズトークン保有者は、トランザクションフレーズトークンをさらにコンフィギュアすることができるように、トランザクションフレーズトークン処理サービス１１２にフィードバックを提供してもよい。１つの側面では、上で述べたように、トランザクションフレーズトークン保有者はトランザクションが受け入れられたときに自分のトランザクションフレーズトークンに関する追加コンフィギュレーション情報をサブミットしてもよい。図７Ａは、トランザクションフレーズトークン保有者に対応するトランザクションの受け入れとトランザクションフレーズトークンの更なるコンフィギュアを容易にするためにコンピューティングデバイスによって生成されるスクリーンディスプレイ７００を示したブロック図である。図７Ａに示されているように、スクリーンディスプレイ７００は、該当アイテムの写真７０２など、リクエストされたトランザクションを同定するコンテンツ、ベンダー（例えば、目的の受信者）の指定など、申し出のあったトランザクションに関する追加情報７０４、及び取引金額などを含んでいる。さらに、スクリーンディスプレイ７００は提供された情報に基づいてトランザクションを承認又は拒否するための選択可能な一連のコントロール７０６を含んでいる。代替的な実施形態では、スクリーンディスプレイ７００はさらに、追加情報をリクエストするための、及び／又はトランザクションの受け入れ／拒否に関するフィードバックを提供するための更なるコントロールを含んでいてよい。
【００５４】
引き続き図７Ａを参照すると、スクリーンディスプレイ７００はトランザクショントークン処理コンポーネント１１６に追加コンフィギュレーション情報を提供する一連のコントロールを含んでいる。図７Ａに示されているように、スクリーンディスプレイ７００は特定のベンダー（例えば受信者）からのすべてのトランザクションを承認するためのコントロール７０８、このアイテムに関するすべてのトランザクションを承認するためのコントロール７１０、及び／又はこの値に関するすべてのトランザクションを承認するためのコントロール７１２を含んでいる。例示的な実施形態では、スクリーンディスプレイ７００はさらに、値閾コントロール７１４，７１６及び７１８に示されているように、コンフィギュレーション情報のより詳細な、又は代替的な範囲もしくは閾を指定するための更なるコントロールを含んでいてよい。さらに、スクリーンディスプレイ７００は他のフレーズトークンによる勘定情報をリクエストするための更なる埋込みリンク７２０を含んでいてよい。例えば、トランザクションフレーズトークン保有者は、トランザクションを承認すると同時に、購入価格の一部を他のトランザクションフレーズトークン保有者に要求することを望むかもしれない。
【００５５】
別の側面では、上で述べたように、申し出のあったトランザクションが送信されたときにこのトランザクションを拒否するよう、トランザクションフレーズトークン保有者に促してもよい。さらに、トランザクションフレーズトークン保有者は、拒否されたトランザクションフレーズトークンに基づいてトランザクションフレーズトークンをさらにコンフィギュアすることができるように、トランザクションフレーズトークン処理コンポーネント１１６にフィードバックを提供してもよい。図７Ｂは、トランザクションフレーズトークン保有者に対応するトランザクションの拒否とトランザクションフレーズトークンの更なるコンフィギュアを容易にするためにコンピューティングデバイスによって生成されるスクリーンディスプレイ７５０を示したブロック図である。図７Ｂに示されているように、図７Ａと同様、スクリーンディスプレイ７５０は、該当アイテムの写真７５２など、リクエストされたトランザクションを同定するコンテンツ、ベンダー（例えば、目的の受信者）の指定など、申し出のあったトランザクションに関する追加情報７５４、及び取引金額などを含んでいる。さらに、スクリーンディスプレイ７５０は提供された情報に基づいてトランザクションを承認又は拒否するための選択可能な一連のコントロール７５６を含んでいる。この例示的な実施形態では、トランザクションフレーズトークン保有者はトランザクションの拒否を選択している。したがって、トランザクションフレーズトークン保有者は、予断をもってトランザクションを拒否するか、又は上記のようにコントロール７５８を介してフィードバック／補正をする可能性を保ちつつトランザクションを拒否するかを選択するよう促される。
【００５６】
引き続き図７Ｂを参照すると、スクリーンディスプレイ７５０はトランザクショントークン処理コンポーネント１１６に追加コンフィギュレーション情報を提供する一連のコントロールを含んでいる。スクリーンディスプレイ７５０は特定のベンダー（例えば受信者）からのすべてのトランザクションを拒否するためのコントロール７６０、このアイテムに関するすべてのトランザクションを拒否するためのコントロール７６２、及び／又はこの値に関するすべてのトランザクションを拒否するためのコントロール７６４を含んでいる。図７Ａと同様に、スクリーンディスプレイ７５０は、値閾コントロール７６６，７６８，７７０及び７７２のような、コンフィギュレーション情報の範囲、閾などを指定するための更なるコントロールを含んでいてよい。当業者であれば、付加的な又は代替的なコンフィギュレーション情報をフィードバックの一部として提供してもよいことを理解されるであろう。さらに、トランザクションフレーズトークン保有者が、図４Ｂに示されているインタフェースのような、より詳細なトランザクションフレーズトークンコンフィギュレーションインタフェースにリダイレクトされるようにしてもよい。
【００５７】
以上に例示的実施形態を示し、説明してきたが、本発明の趣旨及び範囲を逸脱せずに種々の変更が可能であることが認識されるであろう。
【００５８】
以下、親出願の親出願（特願２００９−５２６８５３）の出願当初の特許請求の範囲を添付する。
（親出願の当初請求項１）
トランザクションを容易にするシステムであって、
トランザクションアカウントに関連付けられた文字の集合から成るトランザクションフレーズトークンと、トランザクションリクエストの遂行を求めるリクエストを処理するトランザクションフレーズトークン処理サービスとから成り、
前記リクエストはトランザクションフレーズトークンの表現を含んでおり、
前記トランザクションフレーズトークン処理サービスはトランザクションフレーズトークン保有者によって指定されたトランザクションフレーズトークンのコンフィギュレーションに基づいてトランザクションリクエストを処理するものである、
ことを特徴とするトランザクションを容易にするシステム。
（親出願の当初請求項２）
前記トランザクションアカウントはトランザクションフレーズトークン保有者により制御される、親出願の当初請求項１記載のシステム。
（親出願の当初請求項３）
前記トランザクションは、トランザクションフレーズトークン保有者以外の当事者からトランザクションフレーズトークン保有者への合意項目の移管を含む、親出願の当初請求項１記載のシステム。
（親出願の当初請求項４）
前記トランザクションフレーズトークン処理サービスは販売者からトランザクションフレーズトークン保有者への合意項目の移管を容易にする、親出願の当初請求項３記載のシステム。
（親出願の当初請求項５）
前記トランザクションフレーズトークン処理サービスはトランザクションフレーズトークン保有者によるトランザクションの承認を要求することによりリクエストを処理する、親出願の当初請求項１記載のシステム。
（親出願の当初請求項６）
前記トランザクションフレーズトークン処理サービスは、少なくとも１つのトランザクションフレーズトークンに対応するトランザクションフレーズトークン保有者による承認の受信に基づいて、トランザクションフレーズトークンをさらにコンフィギュアする、親出願の当初請求項５記載のシステム。
（親出願の当初請求項７）
前記承認は、トランザクション遂行リクエストに関連して、特定されたベンダーとの以降のトランザクションを自動的に承認するよう前記トランザクションフレーズトークン処理サービスに指示する、親出願の当初請求項６記載のシステム。
（親出願の当初請求項８）
前記承認は、トランザクション遂行リクエストに関連して、あるアイテムとの以降のトランザクションを自動的に承認するよう前記トランザクションフレーズトークン処理サービスに指示する、親出願の当初請求項６記載のシステム。
（親出願の当初請求項９）
前記承認は、トランザクション遂行リクエストに関連して、決められた又は指定された値を有する以降のトランザクションを自動的に承認するよう前記トランザクションフレーズトークン処理サービスに指示する、親出願の当初請求項６記載のシステム。
（親出願の当初請求項１０）
前記トランザクションフレーズトークン処理サービスは、少なくとも１つのトランザクションフレーズトークンに対応するトランザクションフレーズトークン保有者による拒否の受信に基づいて、トランザクションフレーズトークンをさらにコンフィギュアする、親出願の当初請求項５記載のシステム。
（親出願の当初請求項１１）
前記拒否は、トランザクション遂行リクエストに関連して、特定されたベンダーとの以降のトランザクションを自動的に拒否するよう前記トランザクションフレーズトークン処理サービスに指示する、親出願の当初請求項１０記載のシステム。
（親出願の当初請求項１２）
前記拒否は、トランザクション遂行リクエストに関連して、あるアイテムとの以降のトランザクションを自動的に拒否するよう前記トランザクションフレーズトークン処理サービスに指示する、親出願の当初請求項１０記載のシステム。
（親出願の当初請求項１３）
前記拒否は、トランザクション遂行リクエストに関連して、決められた又は指定された値を有する以降のトランザクションを自動的に拒否するよう前記トランザクションフレーズトークン処理サービスに指示する、親出願の当初請求項１０記載のシステム。
（親出願の当初請求項１４）
前記トランザクションフレーズトークン処理サービスは、トランザクションフレーズトークンのコンフィギュレーションに従ってトランザクションを自動的に処理することによりトランザクションを処理する、親出願の当初請求項１記載のシステム。
（親出願の当初請求項１５）
前記文字集合は１つ又は複数の英数字から成る集合である、親出願の当初請求項１記載のシステム。
（親出願の当初請求項１６）
前記文字集合はトランザクションフレーズトークン保有者にとって文字集合全体として二次的意味を有するものである、親出願の当初請求項１記載のシステム。
（親出願の当初請求項１７）
トランザクションフレーズトークン保有者にトランザクションフレーズトークンを割り当てるトークン発行コンポーネントをさらに含む、親出願の当初請求項１６記載のシステム。
（親出願の当初請求項１８）
トランザクションリクエストの遂行を求めるリクエストはトランザクションフレーズトークン保有者以外の当事者から受信され、
前記トランザクションフレーズトークン処理サービスは、前記トランザクションリクエストの処理が無事に行われた場合に、トランザクションフレーズトークンに関連付けられたトランザクションアカウントの調整を容易にする、親出願の当初請求項１７記載のシステム。
（親出願の当初請求項１９）
トランザクションアカウントの調整はトランザクションアカウントからの引き落としを含む、親出願の当初請求項１８記載のシステム。
（親出願の当初請求項２０）
トランザクションアカウントの調整はトランザクションアカウントへの入金を含む、親出願の当初請求項１８記載のシステム。
（親出願の当初請求項２１）
前記二次的意味とは前記文字集合の音声表現に関連した二次的意味である、親出願の当初請求項１６記載のシステム。
（親出願の当初請求項２２）
前記二次的意味とは前記文字集合のパブリケーションに関連した二次的意味である、親出願の当初請求項１６記載のシステム。
（親出願の当初請求項２３）
前記トランザクションフレーズトークンはトランザクションフレーズトークンのクラスの中で一義的である、親出願の当初請求項１記載のシステム。
（親出願の当初請求項２４）
前記文字集合は、トランザクションフレーズトークン割当てリクエストに関連してトランザクションフレーズトークン保有者によって全体として選択された文字の集合から成る、親出願の当初請求項１記載のシステム。
（親出願の当初請求項２５）
前記トランザクションフレーズトークン処理サービスはさらに、新しいトランザクションフレーズトークンを割り当てることができ、ここで、新しいトランザクションフレーズトークンはそれぞれトランザクションアカウントに関連付けられた文字の集合に相当し、当該文字集合はトランザクションフレーズトークン割当てリクエストに関連してトランザクションフレーズトークン保有者によって全体として選択された文字の集合から成る、親出願の当初請求項１記載のシステム。
（親出願の当初請求項２６）
前記トランザクションフレーズトークン処理サービスはさらに、ターゲットトランザクションフレーズトークンの取得とターゲットトランザクションフレーズトークンが一義的であるか否かの判定のためのユーザインタフェースを生成する、親出願の当初請求項２５記載のシステム。
（親出願の当初請求項２７）
前記トランザクションフレーズトークン処理サービスはさらに前記ユーザインタフェースを介して少なくとも１つの利用可能なトランザクションフレーズトークンを提案する、親出願の当初請求項２６記載のシステム。
（親出願の当初請求項２８）
提案された各トランザクションフレーズトークンはトランザクションフレーズトークン保有者のプロフィールに基づいた推薦に相当する、親出願の当初請求項２７記載のシステム。
（親出願の当初請求項２９）
前記推薦はトランザクションフレーズトークン保有者のプロフィールに相当するデータに関連付けられた文字の集合に基づいている、親出願の当初請求項２８記載のシステム。
（親出願の当初請求項３０）
前記推薦は利用可能なトランザクションフレーズトークンの検索に基づいている、親出願の当初請求項２９記載のシステム。
（親出願の当初請求項３１）
前記トランザクショントークン処理システムはさらに、トランザクショントークンを移管するための市場を提供する、親出願の当初請求項２６記載のシステム。
（親出願の当初請求項３２）
前記トランザクショントークン処理システムはさらに、トランザクショントークンにメタデータを関連付けるためのインタフェースを提供する、親出願の当初請求項２６記載のシステム。
（親出願の当初請求項３３）
前記トランザクションフレーズトークンが、以前に別のトランザクションフレーズトークンに関連付けられていたトランザクションアカウントに対応する、親出願の当初請求項１記載のシステム。
（親出願の当初請求項３４）
トランザクションフレーズトークンのコンフィギュレーションは、受け入れ可能な取引金額、受け入れ可能なベンダー、受け入れ可能な送信者、トランザクションの権限レベル、有効期限、受け入れ可能な合意項目、受け入れられない取引量、受け入れられないベンダー、受け入れられない合意項目、及び必要とされるレピュテーションスコアのうちの少なくとも１つを含む、親出願の当初請求項１記載のシステム。
（親出願の当初請求項３５）
トランザクションフレーズトークンのコンフィギュレーションはコンフィギュレーション情報の閾レベルを含む、親出願の当初請求項３４記載のシステム。
（親出願の当初請求項３６）
トランザクションの処理を容易にする方法において、
２当事者間のトランザクションの遂行リクエストを受け取る工程と、ここで、送信者は少なくとも１つのトランザクションフレーズトークンに関連付けられており、前記トランザクショントークンは文字の集合に相当し、前記送信者は前記トランザクションフレーズトークンに関連付けられたトランザクションアカウントからの引き落としを生じさせるために単にトランザクションフレーズトークンを受信者に送信するだけでよく、
前記少なくとも１つのトランザクションフレーズトークンのコンフィギュレーションに基づいてトランザクション遂行リクエストを処理する工程と
を含むことを特徴とするトランザクションの処理を容易にする方法。
（親出願の当初請求項３７）
少なくとも１つのトランザクションフレーズトークンのコンフィギュレーションに基づいてトランザクション遂行リクエストを処理する前記工程は、送信者による拒否を受信したときにトランザクションを遂行する工程を含む、親出願の当初請求項３６記載の方法。
（親出願の当初請求項３８）
少なくとも１つのトランザクションフレーズトークンのコンフィギュレーションに基づいてトランザクション遂行リクエストを処理する前記工程は、送信者による承認を受信したときにトランザクションを遂行する工程を含む、親出願の当初請求項３６記載の方法。
（親出願の当初請求項３９）
少なくとも１つのトランザクションフレーズトークンのコンフィギュレーションに基づいてトランザクション遂行リクエストを処理する前記工程は、前記トランザクションフレーズトークンの受信者に関するレピュテーションスコアに基づいてリクエストを自動的に処理する工程を含む、親出願の当初請求項３６記載の方法。
（親出願の当初請求項４０）
前記レピュテーションスコアは前記受信者に関する以前の複数のトランザクションの結果に基づいている、親出願の当初請求項３９記載の方法。
（親出願の当初請求項４１）
少なくとも１つのトランザクションフレーズトークンのコンフィギュレーションに基づいてトランザクション遂行リクエストを処理する前記工程は、前記トランザクションフレーズトークンに関連付けられたトランザクションアカウントへの入金を可能にする工程を含む、親出願の当初請求項３６記載の方法。
（親出願の当初請求項４２）
少なくとも１つのトランザクションフレーズトークンのコンフィギュレーションに基づいてトランザクション遂行リクエストを処理する前記工程は、前記トランザクションフレーズトークンに関連付けられたトランザクションアカウントからの引き落としを可能にする工程を含む、親出願の当初請求項３６記載の方法。
（親出願の当初請求項４３）
前記文字集合はトランザクションフレーズトークン保有者にとって文字集合全体として二次的意味を有するものである、親出願の当初請求項３６記載の方法。
（親出願の当初請求項４４）
前記トランザクションフレーズトークンはトランザクションフレーズトークンのクラスの中で一義的である、親出願の当初請求項３６記載の方法。
（親出願の当初請求項４５）
前記文字集合は、トランザクションフレーズトークン割当てリクエストに関連してトランザクションフレーズトークン保有者によって全体として選択された文字の集合から成る、親出願の当初請求項３６記載の方法。
（親出願の当初請求項４６）
トランザクションフレーズトークンの選択を容易にする方法において、
ユーザによって選択されたターゲットトランザクションフレーズトークンに対応する文字集合の全体を取得する工程と、ここで、当該文字集合の全体はトランザクションアカウントの調整に使用されるものであり、前記ターゲットトランザクションフレーズトークンがトランザクションフレーズトークンの集合に対して一義的であるか否かを判定し、
前記トランザクションフレーズトークンがユーザインタフェース上のトランザクションフレーズトークンの集合に対して一義的であるか否かを表示する工程と
を含むことを特徴とするトランザクションフレーズトークンの選択を容易にする方法。
（親出願の当初請求項４７）
ユーザによって選択されたターゲットトランザクションフレーズトークンに対応する文字集合の全体を取得する前記工程は、前記ターゲットトランザクションフレーズトークンに相当するユーザ入力を取得するためのインタフェースを含む、親出願の当初請求項４６記載の方法。
（親出願の当初請求項４８）
トランザクションフレーズトークンがユーザインタフェース上のトランザクションフレーズトークンの集合に対して一義的であるか否かを表示する前記工程は、前記トランザクションフレーズトークンが前記インタフェース上のトランザクションフレーズトークンの集合に対して一義的である場合に、前記ターゲットトランザクションフレーズトークンを第１の色にフォーマットする工程を含む、親出願の当初請求項４６記載の方法。
（親出願の当初請求項４９）
トランザクションフレーズトークンがユーザインタフェース上のトランザクションフレーズトークンの集合に対して一義的であるか否かを表示する前記工程は、前記トランザクションフレーズトークンが前記インタフェース上のトランザクションフレーズトークンの集合に対して一義的でない場合に、前記ターゲットトランザクションフレーズトークンを第２の色にフォーマットする工程を含む、親出願の当初請求項４８記載の方法。
（親出願の当初請求項５０）
トランザクションフレーズトークンがユーザインタフェース上のトランザクションフレーズトークンの集合に対して一義的であるか否かを表示する前記工程は、前記ターゲットトランザクションフレーズトークンが前記インタフェース上のトランザクションフレーズトークンの集合に対して一義的であるか否かを示す視覚的インジケータを前記インタフェース上に提供する工程を含む、親出願の当初請求項４６記載の方法。
（親出願の当初請求項５１）
推薦されるターゲットトランザクションフレーズトークンを前記ユーザインタフェース上に提供する工程をさらに含む、親出願の当初請求項４６記載の方法。
（親出願の当初請求項５２）
前記推薦されるターゲットトランザクションフレーズトークンは個人に関する１つ又は複数のアイテムの様相に対応している、親出願の当初請求項５１記載の方法。
（親出願の当初請求項５３）
前記推薦されるターゲットトランザクションフレーズトークンは個人に関する１つ又は複数のアイテムの様相に関する統計的にありそうもないフレーズに対応している、親出願の当初請求項５２記載の方法。
（親出願の当初請求項５４）
前記推薦されるターゲットトランザクションフレーズトークンは利用可能なターゲットトランザクションフレーズトークンの検索に基づいている、親出願の当初請求項５２記載の方法。
（親出願の当初請求項５５）
前記利用可能なターゲットトランザクションフレーズトークンは適正な名前と場所のリストである、親出願の当初請求項５２記載の方法。
（親出願の当初請求項５６）
前記文字集合は英数字の集合である、親出願の当初請求項４６記載の方法。
（親出願の当初請求項５７）
前記文字集合はトランザクションフレーズトークン保有者にとって文字集合全体として二次的意味を有するものである、親出願の当初請求項４６記載の方法。
（親出願の当初請求項５８）
選択されたトランザクションフレーズトークンに関するコンフィギュレーション情報を設定するための一連のコンフィギュレーションコントロールを生成する工程と、少なくもと１つの選択されたコンフィギュレーションコントロールを取得する工程とをさらに含む、親出願の当初請求項４６記載の方法。
（親出願の当初請求項５９）
前記した一連のコンフィギュレーションコントロールはトランザクションフレーズトークンに関連したトランザクションの１つ又は複数の様相を報告する工程を含む、親出願の当初請求項５８記載の方法。
（親出願の当初請求項６０）
前記した一連のコンフィギュレーションコントロールは、トランザクションフレーズトークンを使用する権限のあるエンティティを指定する工程を含む、親出願の当初請求項５８記載の方法。
（親出願の当初請求項６１）
前記した一連のコンフィギュレーションコントロールはトランザクションフレーズトークンの有効期限を指定する工程を含む、親出願の当初請求項５８記載の方法。
（親出願の当初請求項６２）
前記した一連のコンフィギュレーションコントロールはトランザクションフレーズトークンのイネーブルコントロールをトグルする工程を含む、親出願の当初請求項５８記載の方法。
（親出願の当初請求項６３）
トランザクションの処理を容易にする方法において、
送信者からのトランザクションリクエストを取得する工程と、ここで、前記トランザクションリクエストはトランザクションフレーズトークンの表現を含んでおり、前記トランザクションフレーズトークンはトランザクションアカウントに関連付けられており、前記トランザクションフレーズトークンはトランザクションフレーズトークン割当てリクエストに関連してトランザクションフレーズトークン保有者によって全体として選択された文字の集合から成っており、
少なくとも１つのトランザクションフレーズトークンのコンフィギュレーションに基づいてトランザクションを遂行するトークン処理サービスにリクエストを送信する工程と
を含むことを特徴とするトランザクションの処理を容易にする方法。
（親出願の当初請求項６４）
送信者からのトランザクションリクエストが前記トークン処理サービスに送信される前に、前記リクエストを処理する工程をさらに含む、親出願の当初請求項６３記載の方法。
（親出願の当初請求項６５）
送信者からのトランザクションリクエストを処理する前記工程は送信者から追加情報を得る工程を含む、親出願の当初請求項６４記載の方法。
（親出願の当初請求項６６）
前記追加情報は個人識別番号、パスワード及び他のセキュリティ情報のうちの少なくとも１つに相当する、親出願の当初請求項６５記載の方法。
（親出願の当初請求項６７）
前記追加情報は送信者に関連した更なる金融口座情報に相当する、親出願の当初請求項６５記載の方法。
（親出願の当初請求項６８）
送信者からのトランザクションリクエストを処理する前記工程は、
送信者が提示したトランザクションフレーズトークンが他のトランザクションフレーズトークンと類似しているか否かを判定する工程と、
送信者からトランザクションフレーズトークンの確認を得る工程を含む、
親出願の当初請求項６４記載の方法。
（親出願の当初請求項６９）
前記文字集合はトランザクションフレーズトークン保有者にとって文字集合全体として二次的意味を有するものである、親出願の当初請求項６３記載の方法。
（親出願の当初請求項７０）
前記トランザクションフレーズトークンはトランザクションフレーズトークンのクラスの中で一義的である、親出願の当初請求項６３記載の方法。
（親出願の当初請求項７１）
前記トークン処理サービスによるリクエストの処理の通知を得る工程をさらに含む、親出願の当初請求項６３記載の方法。
（親出願の当初請求項７２）
親出願の当初請求項３６から７１のいずれか１項記載の方法を実行するためのコンピュータプログラム。
【図１】
2015149092.tif 000003
【図２Ａ】
2015149092.tif 000004
【図２Ｂ】
2015149092.tif 000005
【図２Ｃ】
2015149092.tif 000006
【図２Ｄ】
2015149092.tif 000007
【図２Ｅ】
2015149092.tif 000008
【図３】
2015149092.tif 000009
【図４Ａ】
2015149092.tif 000010
【図４Ｂ】
2015149092.tif 000011
【図５】
2015149092.tif 000012
【図６Ａ】
2015149092.tif 000013
【図６Ｂ】
2015149092.tif 000014
【図７Ａ】
2015149092.tif 000015
【図７Ｂ】
2015149092.tif 000016
【外国語明細書】
2015149092.tif 000017
2015149092.tif 000018
2015149092.tif 000019
2015149092.tif 000020
2015149092.tif 000021
2015149092.tif 000022
2015149092.tif 000023
2015149092.tif 000024
2015149092.tif 000025
2015149092.tif 000026
2015149092.tif 000027
2015149092.tif 000028
2015149092.tif 000029
2015149092.tif 000030
2015149092.tif 000031
2015149092.tif 000032
2015149092.tif 000033
2015149092.tif 000034
2015149092.tif 000035
2015149092.tif 000036
2015149092.tif 000037
2015149092.tif 000038
2015149092.tif 000039
2015149092.tif 000040
2015149092.tif 000041
2015149092.tif 000042
2015149092.tif 000043
2015149092.tif 000044
2015149092.tif 000045
2015149092.tif 000046
2015149092.tif 000047
2015149092.tif 000048
2015149092.tif 000049
2015149092.tif 000050
2015149092.tif 000051
2015149092.tif 000052
2015149092.tif 000053
2015149092.tif 000054
2015149092.tif 000055
2015149092.tif 000056
2015149092.tif 000057
2015149092.tif 000058
2015149092.tif 000059
2015149092.tif 000060
2015149092.tif 000061
2015149092.tif 000062
2015149092.tif 000063
2015149092.tif 000064
2015149092.tif 000065
2015149092.tif 000066
2015149092.tif 000067
2015149092.tif 000068
2015149092.tif 000069
2015149092.tif 000070